(57)【特許請求の範囲】
【請求項１】
バージスサイズを変えた複数のカップ受部と、１つのバージスサイズにおいてカップ高さを変えた複数のカップ部との組み合わせからなり、カップ受部に対してカップ部を着脱可能に設けてなるカップ部を有する衣類のオーダーメイド用計測サンプル。
【請求項２】
バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けてなるカップ部を有する衣類のオーダーメイド用計測サンプル。
【請求項３】
カップ受部の上端縁とカップ部の下端縁にそれぞれ設けた一対の面ファスナーによってカップ受部とカップ部を着脱可能とした請求項１又は２記載のカップ部を有する衣類のオーダーメイド用計測サンプル。
【請求項４】
カップ受部とバック部をかぎホックによって着脱可能とした請求項２又は３記載のカップ部を有する衣類のオーダーメイド用計測サンプル。
【請求項５】
バージスサイズを変えた複数のカップ受部と、１つのバージスサイズにおいてカップ高さを変えた複数のカップ部との組み合わせからなり、カップ受部に対してカップ部を着脱可能に設けることにより、カスタムサイズのカップ部を有するオーダーメイド用計測サンプルの試着を可能としたことを特徴とするカップ部を有する衣類のオーダーメイド方式。
【請求項６】
バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けることにより、カスタムサイズのカップ部を有するオーダーメイド用計測サンプルの試着を可能としたことを特徴とするカップ部を有する衣類のオーダーメイド方式。
【請求項７】
カップ受部の上端縁とカップ部の下端縁にそれぞれ設けた一対の面ファスナーによってカップ受部とカップ部を着脱可能とした請求項５又は６記載のカップ部を有する衣類のオーダーメイド方式。
【請求項８】
カップ受部とバック部をかぎホックによって着脱可能とした請求項６又は７記載のカップ部を有する衣類のオーダーメイド方式。
【発明の詳細な説明】
【０００１】
【発明の属する技術分野】
本発明は、ブラジャー（ロングラインブラジャーを含む）、スリーインワン、ボディスーツ、水着等のカップ部を有する衣類において、着用者に合ったカップ寸法及びアンダーバスト寸法を有し、着用時にフィット感のある衣類を提供するためのカップ部を有する衣類のオーダーメイド用計測サンプル及びオーダーメイド方式に関する。
【０００２】
【従来の技術】
一般にブラジャーは、乳房を理想的な形状に整え、下垂を防止する目的で着用され、様々な型の既製のブラジャーが市販されており、着用者はその中から体型に合うものを購入する。しかし、既製のブラジャーの中から完全に体型に合ったものを見つけるのは難しく、身体に適度にフィットしないものを着用してしまうと上記の目的を達成できないばかりか、適度なフィット感が得られず不快感を感じてしまう。特に、きつすぎる場合には圧迫により苦痛を感じ、血流が悪くなる等して、身体に悪影響が及ぼされる。
【０００３】
そこで標準サイズのブラジャーを幾種類か用意し、着用者の体型に近似した標準サイズを選んで着用者にあわせてカスタムサイズに修正する方式が採用されているが、標準サイズからカスタムサイズに修正するためには熟練した技術を要し、修正ミスが起こりやすい難点があり、また着用者が仕上り製品の着用感をあらかじめ疑似体験できないという難点もあった。
【０００４】
また、バック部がなく、カップサイズを種々変えた試着用の胸当て部を用意し、これを試着することによりカップサイズを選択し、バック部については着用者のアンダーバストをメジャー等で採寸して、着用者の体型に対応したブラジャーを提供しようとするというオーダーメイド方式も試みられている。
【０００５】
【発明が解決しようとする課題】
しかしながら、カップ部のフィット感は、バージスサイズ、すなわち乳房の下縁の半円状の輪郭線（バージスライン）の曲率とカップ高さによって異なってくるものであり、このバージスサイズとカップ高さとの組合せは各個人により様々であるが、上記の例では両者の組合せを種々に変えた胸当て部が用意されているわけではないので、バージスサイズ及びカップ高さの両者を合わせることは難しく、カップ部のフィット性は十分とはいえなかった。
【０００６】
バック部の寸法は、トップバスト及びアンダーバストのフィット性も左右するので、上記の例のように採寸して決定する方式を採用すると、その計測に正確性を欠いてしまう恐れがあり、また、バック部も付帯したブラジャー全体としての着用感・フィット性を着用者自ら試着によって体感できない難点があった。このような問題点はブラジャーのような下着関係に止まらず、水着等も含め、カップ部を有する衣類全般についても同様である。
【０００７】
そこで、仕上がり状態と寸法的に同様な計測用サンプルを試着して実際の着用感を体感でき、また体型補整を目的として、あるいは着用者の好みに合わせて細かい寸法調整のできるカップ部を有する衣類のオーダーメイド方式が望まれていた。
【０００８】
したがって、本発明の目的とするところは、カップ部を有する衣類において、着用者の体型に対応したカスタムサイズのカップ部を有し、着用時にフィット感のある衣類を提供し得るオーダーメイド用計測サンプル及びオーダーメイド方式を提供するところにある。またさらに、着用者がカスタムサイズのカップ部を有する計測サンプルを試着することができ、そのフィット感を確認した上で注文することができるカップ部を有する衣類のオーダーメイド用計測サンプル及びオーダーメイド方式を提供することを目的とする。
【０００９】
【課題を解決するための手段】
上記目的を達成するために、本発明に係るカップ部を有する衣類のオーダーメイド用計測サンプルは、請求項１記載のように、バージスサイズを変えた複数のカップ受部と、１つのバージスサイズにおいてカップ高さを変えた複数のカップ部との組み合わせからなり、カップ受部に対してカップ部を着脱可能に設ける構成としたものである。
【００１０】
このように構成すれば、顧客のバージスサイズ及びカップ高さにフィットしたカップ受部とカップ部を選定することが容易であり、顧客はカスタムサイズのカップ部を有する計測サンプルを試着した上で注文することができるので、着用時にフィット感のある衣類を提供できるとともに、あらかじめそのフィット感を確認した上で注文することができるオーダーメイド方式を提供することができる。
【００１１】
またさらに、本発明においては、カップ受部とカップ部の組合せのみならず、バック部も着脱可能に組み合わせることにより、よりフィット感のあるカップ部を有する衣類を提供し得るオーダーメイド用計測サンプルを提供している。
【００１２】
すなわち、請求項２記載のように、バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けてなるカップ部を有する衣類のオーダーメイド用計測サンプルである。
【００１３】
これにより、トップバスト及びアンダーバストのフィット性も左右するバック部の寸法を含めた全体が着用者の体型にあったカスタムサイズのオーダーメイド用計測サンプルとすることができ、よりフィット性の高いカップ部を有する衣類を提供することができる。しかも、顧客はカスタムサイズのカップ部を有する計測サンプルを試着して全体としてのフィット感を確認した上で注文することができる。
【００１４】
バック部の寸法とは着用時における周方向の寸法であり、その周方向の長さを変えることにより着用者のアンダーバストのサイズに対応することができる。なお、カップ受部のバージスサイズを変えることにより、カップ受部脇側連結部の幅が変わる場合には、それに合わせてバック部の幅の寸法も変えるようにする。
【００１５】
カップ受部とカップ部とを着脱可能に連結する手段としては、ベルクロ（商標）又はマジックテープ（商標）などの面ファスナーが好適である。すなわち、カップ受部の上端縁とカップ部の下端縁にそれぞれ設けた一対の面ファスナーによって両者を着脱可能に連結する構成である。両者の着脱が容易であり、また洗濯することもできる。
【００１６】
連結の形態としては、カップ部の上にカップ受部を重ねる形態をとっても、カップ受部の上にカップ部を重ねる形態をとってもよいが、カップ部のフィット性という観点からは前者の形態が望ましい。この場合、カップ部の下端縁では外面側に面ファスナーの一方を、カップ受部の上端縁では内面側に面ファスナーの他方を止着することになるが、バージスサイズを合わせるためカップ受部を試着する際、面ファスナーが肌に触れるため、カップ受部側には基布の一面に多数のループ状係合素子を設けた比較的肌当たりの良い雌側の面ファスナー（ループテープ）を設け、カップ部側にフック状係合素子を有する雄側の面ファスナー（フックテープ）を設ける形態が好ましい。
【００１７】
一方、カップ受部とバック部とは、左右のバック部を止める際引張力が作用する点、またバック部には伸縮率の高い素材を使用することが多い点からして、引張力が作用しても試着時に外れないように、かぎホック（フック  アンド  アイ）を用いて連結するのが好ましい。
【００１８】
また、本発明は上記のようなオーダーメイド用計測サンプルを用いたオーダーメイド方式も提供している。すなわち、本発明に係るカップ部を有する衣類のオーダーメイド方式は、請求項５記載のように、バージスサイズを変えた複数のカップ受部と、１つのバージスサイズにおいてカップ高さを変えた複数のカップ部との組み合わせからなり、カップ受部に対してカップ部を着脱可能に設けることにより、カスタムサイズのカップ部を有するオーダーメイド用計測サンプルの試着を可能としたことを特徴とするオーダーメイド方式である。
【００１９】
すなわち、カップ受部に対してカップ部を着脱可能に設けたオーダーメイド用計測サンプルを利用するものであって、カップ受部についてはバージスサイズを変えたものを複数種類用意し、カップ部については１つのバージスサイズにおいてカップ高さを変えたものを複数種類用意して両者を着脱自在に組み合わせ可能とし、これらの組合せを種々に変えることにより、顧客のバージスサイズ及びカップ高さにフィットしたカップ部を有するオーダーメイド用計測サンプルの試着を可能としたものである。
【００２０】
これにより顧客はカスタムサイズのカップ部を有するオーダーメイド用計測サンプルを試着した上で注文することができるので、着用時にフィット感のある衣類を提供できるとともに、あらかじめそのフィット感を確認した上で注文することができるオーダーメイド方式を提供することができる。
【００２１】
またさらに、本発明においては、カップ受部とカップ部の組合せのみならず、バック部も着脱可能に組み合わせることにより、よりフィット感のあるカップ部を有する衣類を提供し得るオーダーメイド方式を提供している。
【００２２】
すなわち、請求項６記載のように、バージスサイズを変えた複数のカップ受部と、１つのバージスサイズにおいてカップ高さを変えた複数のカップ部と、一つのカップ受部において寸法の異なる複数のバック部とを有し、カップ受部に対してカップ部及びバック部を着脱可能に設けることにより、カスタムサイズのカップ部を有するオーダーメイド用計測サンプルの試着を可能としたことを特徴とするカップ部を有する衣類のオーダーメイド方式である。
【００２３】
これにより、トップバスト及びアンダーバストのフィット性も左右するバック部の寸法を含めた全体が着用者の体型にあったフィット性の高いカップ部を有する衣類を提供することができ、しかも、顧客自ら出来上がり製品を疑似体験することが可能となり、あらかじめそのフィット感を確認した上で注文することができるオーダーメイド方式を提供することができる。また、この方式によれば、メジャー等での計測だけでは分からない素材収縮率の調整、体型補整を意図した修正なども実際の着用感を伴って実施することができる。
【００２４】
なお、本発明のオーダーメイド用計測サンプル及びオーダーメイド方式はブラジャーのような下着関係に止まらず、水着等も含め、カップ部を有する衣類全般について適用可能であるが、ブラジャーの場合、カップ受部、カップ部、バック部のみで構成されるため、各部材ごとにサイズ順に重ね合わせればコンパクトに保管することができる。また、持ち運びが容易であり、しかも組合せ式であるから比較的少ない部材で多様な体型に対応し得るので、ブラジャーをオーダーメイド方式で店舗販売する場合の試着式採寸に限らず、出張採寸にも適したオーダーメイド用計測サンプル及びオーダーメイド方式といえる。
【００２５】
【発明の実施の形態】
以下、本発明の実施形態をブラジャーを例にとって示した図面に基づいて説明する。図１は本発明のオーダーメイド用計測サンプルにおける組合せの一例を示すもので、計測サンプルは、乳房を覆うための左右一対のカップ部１と、カップ部１を支持するためのカップ受部２と、カップ受部２の両脇部に連結されるバック部３とから構成され、カップ受部２に対して、カップ部１及びバック部３を着脱自在に連結可能としている。カップ部１の上端部には肩ストラップ４が取り付けられ、バック部３と連結可能としている。
【００２６】
カップ受部２は、左右一対のカップ部１に対応する形態に形成され、上端縁にバージスラインに沿った形状のカップ受湾曲部５を有する本体部６と、この本体部６の両脇部に設けられ、バック部３と連結するためにかぎホックのアイ７を寸法調節可能に２列備えた連結部８とによって構成されている。
【００２７】
カップ受湾曲部５は伸縮性の低いテープ状の布をバージスラインの形状に沿って本体部６の上端縁に重ねて縫着することにより構成されているが、形態の安定性を保つためには、形状記憶合金等の金属や剛性のあるプラスチック等でバージスラインの曲率に沿った半円弧状に形成されたワイヤをバイアステープに包んで、本体部６の上端縁に縫着する構成が採用できる。
【００２８】
カップ受部２の上端縁に位置するカップ受湾曲部５の内面側、すなわち着用時に肌側と接する面に、カップ部１と連結するための面ファスナーの雌側（ループテープ）（図示せず）が縫着されている。
【００２９】
下カップ布９と上カップ布１０を縫着してカップ本体１１を構成したカップ部１の下端縁はバージスラインに沿った湾曲部１２とされ、その外面には上記カップ受湾曲部５の雌側の面ファスナーと係合する雄側の面ファスナー（フックテープ）１３が縫着されている。
【００３０】
バック部３は、カップ受部２の連結部８と連結するため内面側にかぎホックのフック（図示せず）を備えた連結部１４を有し、左右のバック部３の後端部にはそれぞれ、着用時に背側で左右のバック部３を調節可能に係止するための後かぎホックのフック（図示せず）及び複数列のアイ１５が縫着され、バック部の上縁には、肩ストラップ４を位置調節可能に連結するため、長手方向において複数個のループ１６が縫着されている。バック部３には、少なくとも長手方向に伸縮性を有する織布が用いられ、この伸縮力により計測サンプル及び製品化されたブラジャーが適度の緊締力及びフィット感をもって着用され、ずり下がり等を防いでいる。
【００３１】
肩ストラップ４は、その一端は上カップ布１０の上部に縫着され、他端に設けたフック状留め具１８においてバック部３に縫着されたループ１６に連結可能としており、中間部に長さ調節用の止め具、いわゆるエイト環１７を有している。ループ１６は、バック部３の長さ方向に複数列形成されているので、肩ストラップ４の最適連結位置を探ることができ、またエイト環１７によってストラップ長を調整することにより、着用者に合った最適のストラップ長を探ることができる。
【００３２】
以上のような構成のカップ部１、カップ受部２及びバック部３について、種々のサイズのものを準備する。すなわち、カップ受部２については、カップ受湾曲部５のバージスサイズを種々に変えたもの、カップ部１については、湾曲部１２のバージスサイズを種々に変え、さらに図２に示すように１つのバージスサイズにおいてカップ高さを種々に変えたもの、バック部３については、図３に示すように１つのカップ受部２において着用時の周方向の長さＬを種々に変えたものを用意する。なお、カップ部１は、カップ高さの他にカップの形状を種々に変えたものも用意することもできる。カップの形状とは、乳間を寄せるタイプ、バストトップを丸くしたタイプ等が挙げられる。
【００３３】
このように構成されたオーダーメイド用計測サンプルを用いて、オーダーメイドのブラジャーを提供する際には、まず、カップ受部２を着用者のバージスラインに当て、バージスサイズの合うものを選択し、次にそのカップ受部２にそのバージスサイズにおいて展開された様々なカップ高さのカップ部１の中からカップ高さの合うものを選択してカップ受部２に面ファスナーを介して連結する。そして、着用者の体型に合ったバック部３を選択してカップ受部２にかぎホックで位置調整しながら連結させ、最後に肩ストラップ４をバック部３の適当な位置に連結することにより、カスタムサイズのオーダーメイド用計測サンプルを試着させ、全体としてのフィット感を確認して採寸を終わることになる。したがって、確定した計測サンプルに基づいてブラジャーを製造すれば、着用者の体型に完全に合い、好ましいフィット感が得られるブラジャーを提供することができる。
【００３４】
体型補整を目的とする場合は、その目的に合ったカップ部１、カップ受部２、バック部３を選んで組み合わせたオーダーメイド用計測サンプルを調整して試着させ、全体として着用感を確認させた上で製造することになる。
【００３５】
ブラジャーの外形的装飾性については、オーダーメイド用計測サンプルで得られたカスタムサイズに基づき適宜デザインを変更することによって着用者の好みに合わせることができる。
【００３６】
【発明の効果】
以上の説明から明らかな通り、本発明のオーダーメイド用計測サンプルを使用すれば、顧客のバージスサイズ及びカップ高さにフィットしたカップ受部とカップ部を選定することが容易であり、顧客はカスタムサイズのカップ部を有する計測サンプルを試着した上で注文することができるので、着用時にフィット感のある衣類を提供できるとともに、あらかじめそのフィット感を確認した上で注文することができる利点を有している。
【００３７】
また本発明のオーダーメイド方式によると、顧客はカスタムサイズのカップ部を有するオーダーメイド用計測サンプルを試着した上で注文することができるので、着用時にフィット感のある衣類を提供できるとともに、あらかじめそのフィット感を確認した上で注文することができるオーダーメイド方式となし得たのである。また、このようなオーダーメイド方式によれば、メジャー等での計測だけでは分からない素材収縮率の調整、体型補整を意図した修正なども実際の着用感を伴って実施することができる利点も有している。
【００３８】
また、各部材の組合せからなるオーダーメイド用計測サンプルを使用するものであるから、各部材ごとにサイズ順に重ね合わせればコンパクトに保管することができ、また、持ち運びも容易であり、しかも組合せ式であるから比較的少ない部材で多様な体型に対応し得るので、ブラジャー等をオーダーメイド方式で店舗販売する場合の試着式採寸に限らず、出張採寸にも適したオーダーメイド用計測サンプル及びオーダーメイド方式を提供し得たのである。
【図面の簡単な説明】
【図１】本発明のオーダーメイド用計測サンプルの一例としてブラジャーにおける組合せの一例を示す正面図。
【図２】１つのバージスサイズにおいてカップ高さを変えたカップ部の一例を示す側面図で、（ａ）のカップ高さが（ｂ）のカップ高さより低くなっている。
【図３】１つのカップ受部において寸法を変えたバック部の正面図で、（ａ）の寸法が（ｂ）の寸法より短くなっている。
【符号の説明】
１    カップ部
２    カップ受部
３    バック部
４    肩ストラップ
５    カップ受湾曲部
６    本体部
７    かぎホックのアイ
８    連結部
９    下カップ布
１０  上カップ布
１１  カップ本体
１２  湾曲部
１３  雄側の面ファスナー
１４  連結部
１５  後かぎホックのアイ
１６  ループ
１７  エイト環
１８  フック状留め具
【図１】
0003652251.tif 000002
【図２】
0003652251.tif 000003
【図３】
0003652251.tif 000004